(57)【要約】【課題】デジタル音声出力から出力される音声の音質を向上させること。【解決手段】デジタルディスクプレーヤー１は、アナログ音声出力に音声を出力するオーディオ回路３と、デジタル音声出力に音声を出力するデジタル回路２と、マイクロコンピューター２１と、を備える。マイクロコンピューター２１は、オーディオ回路３を使用しない場合、交流電源とオーディオトランス４との間に接続されたリレー５をオフすることで、オーディオ回路３の電源をオフする。【選択図】図１
2020013624.tif 000002
【特許請求の範囲】
【請求項１】
アナログ音声出力に音声を出力する第１回路と、
デジタル音声出力に音声を出力する第２回路と、
制御部と、を備え、
前記制御部は、前記第１回路を使用しない場合、前記第１回路の電源をオフすることを特徴とする電子機器。
【請求項２】
交流電源からの電源電圧を変圧して、前記第１回路に供給するトランスと、
前記交流電源と、前記トランスと、の間に接続されたスイッチと、をさらに備え、
前記制御部は、前記第１回路の電源をオフする場合、前記スイッチをオフすることを特徴とする請求項１に記載の電子機器。
【請求項３】
前記第１回路を使用しないことを受け付けるための操作部をさらに備え、
前記制御部は、前記操作部により、前記第１回路を使用しないことを受け付けた場合、前記第１回路の電源をオフすることを特徴とする請求項１又は２に記載の電子機器。
【請求項４】
前記第１回路は、
動作用クロックを有し、デジタル音声をアナログ音声にＤ／Ａ変換するＤ／Ａコンバーターと、
前記Ｄ／ＡコンバーターがＤ／Ａ変換した前記アナログ音声信号を増幅する増幅器と、
前記トランスからの電源電圧が供給され、電源電圧を前記Ｄ／Ａコンバーターと、前記増幅器と、に供給する電源回路と、を備えることを特徴とする請求項１〜３のいずれか１項に記載の電子機器。
【請求項５】
前記制御部は、前記第２回路を使用しない場合、前記第２回路から音声を出力させないことを特徴とする請求項１〜４のいずれか１項に記載の電子機器。
【請求項６】
アナログ音声出力に音声を出力する第１回路と、
デジタル音声出力に音声を出力する第２回路と、
を備える電子機器の制御方法であって、
前記第１回路を使用しない場合、前記第１回路の電源をオフすることを特徴とする電子機器の制御方法。
【発明の詳細な説明】
【技術分野】
【０００１】
本発明は、アナログ音声出力とデジタル音声出力とを有する電子機器、及び、電子機器の制御方法に関する。
【背景技術】
【０００２】
オーディオビジュアル製品等の電子機器において、アナログ音声出力とデジタル音声出力とを有する機器がある（例えば、特許文献１参照。）。アナログ音声出力としては、ＲＣＡ出力、バランス出力等がある。デジタル音声出力としては、ＣＯＡＸＩＡＬ出力、光（Ｏｐｔｉｃａｌ）出力、ＨＤＭＩ（登録商標）（High-Definition Multimedia Interface）出力等がある。製品としては、これらの出力が搭載されているが、実際には、ユーザーは、このうちの１つしか使用しないケースも考えられる。図５は、従来のデジタルディスクプレーヤーの構成を示すブロック図である。
【０００３】
特に、例えば、Blu-ray（登録商標）プレーヤー等の映像製品の場合、デジタル音声出力のみＡＶレシーバーに接続し、アナログ音声出力は、使用されないケースもある。この場合、ユーザーは、デジタル音声出力のみを高音質にして視聴したいことになる。
【先行技術文献】
【特許文献】
【０００４】
【特許文献１】特開２００８−２９９９３８号公報
【発明の概要】
【発明が解決しようとする課題】
【０００５】
ここで、アナログ音声出力に音声を出力するオーディオ回路には、デジタル音声をアナログ音声に変換するＤ／Ａコンバーター（ＤＡＣ）、及び、ＤＡＣの動作用クロックが含まれている。ＤＡＣが動作していると、ＤＡＣの動作用クロックも動作しており、デジタル音声出力から出力される音声の音質に悪影響を与える。
【０００６】
本発明の目的は、デジタル音声出力から出力される音声の音質を向上させることである。
【課題を解決するための手段】
【０００７】
第１の発明の電子機器は、アナログ音声出力に音声を出力する第１回路と、デジタル音声出力に音声を出力する第２回路と、制御部と、を備え、前記制御部は、前記第１回路を使用しない場合、前記第１回路の電源をオフすることを特徴とする。
【０００８】
本発明では、制御部は、第１回路を使用しない場合、第１回路の電源をオフする。従って、第１回路が動作していないため、第１回路に電流は流れず、音質に影響を与えるノイズも発生しない。これにより、第１回路による、デジタル音声出力から出力される音声の音質への悪影響が抑制されるため、デジタル音声出力から出力される音声の音質を向上させることができる。すなわち、デジタル音声出力から、高音質の音声が出力される。
【０００９】
第２の発明の電子機器は、第１の発明の電子機器において、交流電源からの電源電圧を変圧して、前記第１回路に供給するトランスと、前記交流電源と、前記トランスと、の間に接続されたスイッチと、をさらに備え、前記制御部は、前記第１回路の電源をオフする場合、前記スイッチをオフすることを特徴とする。
【００１０】
第３の発明の電子機器は、第１又は第２の発明の電子機器において、前記第１回路を使用しないことを受け付けるための操作部をさらに備え、前記制御部は、前記操作部により、前記第１回路を使用しないことを受け付けた場合、前記第１回路の電源をオフすることを特徴とする。
【００１１】
第４の発明の電子機器は、第１〜第３のいずれかの発明の電子機器において、前記第１回路は、動作用クロックを有し、デジタル音声をアナログ音声にＤ／Ａ変換するＤ／Ａコンバーターと、前記Ｄ／ＡコンバーターがＤ／Ａ変換した前記アナログ音声信号を増幅する増幅器と、前記トランスからの電源電圧が供給され、電源電圧を前記Ｄ／Ａコンバーターと、前記増幅器と、に供給する電源回路と、を備えることを特徴とする。
【００１２】
第５の発明の電子機器は、第１〜第４のいずれかの発明の電子機器において、前記制御部は、前記第２回路を使用しない場合、前記第２回路から音声を出力させないことを特徴とする。
【００１３】
第６の発明の電子機器の制御方法は、アナログ音声出力に音声を出力する第１回路と、デジタル音声出力に音声を出力する第２回路と、を備える電子機器の制御方法であって、前記第１回路を使用しない場合、前記第１回路の電源をオフすることを特徴とする。
【発明の効果】
【００１４】
本発明によれば、デジタル音声出力から出力される音声の音質を向上させることができる。
【図面の簡単な説明】
【００１５】
【図１】本発明の実施形態に係るデジタルディスクプレーヤーの構成を示すブロック図である。
【図２】本発明の実施形態に係るデジタルディスクプレーヤーの構成を示すブロック図である。
【図３】本発明の実施形態に係るデジタルディスクプレーヤーの構成を示すブロック図である。
【図４】本発明の実施形態に係るデジタルディスクプレーヤーの構成を示すブロック図である。
【図５】従来のデジタルディスクプレーヤーの構成を示すブロック図である。
【発明を実施するための形態】
【００１６】
以下、本発明の実施形態について説明する。図１は、本実施形態に係るデジタルディスクプレーヤーの構成を示すブロック図である。デジタルディスクプレーヤー１（電子機器）は、例えば、Blu-ray（登録商標）ディスクの再生に対応しており、デジタルディスクから読み取った映像、音声等を、ＡＶレシーバー等に出力する。
【００１７】
図１に示すように、デジタルディスクプレーヤー１は、デジタル回路２、オーディオ回路３、オーディオトランス４、リレー５、操作部６等を備える。デジタル回路２（第２回路）は、ＣＯＡＸＩＡＬ  ＯＵＴ、ＯＰＴＩＣＡＬ（光）  ＯＵＴ、ＨＤＭＩ（登録商標）  ＯＵＴ（デジタル音声出力）に音声を出力する。デジタル回路２は、マイクロコンピューター２１、ＳｏＣ２２を備える。なお、図１では省略しているが、図４と同様、デジタルディスクプレーヤー１は、さらに、スイッチングトランスを備え、デジタル回路２は、さらに、電源回路を有する。スイッチングトランスは、交流電源からの電源を変圧して、デジタル回路２の電源回路に供給する。電源回路は、スイッチングトランスからの電源電圧を、マイクロコンピューター２１、ＳｏＣ２２に供給する。
【００１８】
マイクロコンピューター２１は、デジタルディスクプレーヤー１を構成する各部を制御する。ＳｏＣ（System on Chip）２２は、デジタル音声を、ＣＯＡＸＩＡＬ  ＯＵＴ、ＯＰＴＩＣＡＬ（光）  ＯＵＴ、ＨＤＭＩ（登録商標）  ＯＵＴに出力する。オーディオトランス４は、交流電源からの電源電圧を変圧して、オーディオ回路３の電源回路３１に供給する。リレー５（スイッチ）は、交流電源とオーディオトランス４との間に接続されている。リレー５は、マイクロコンピューター２１により、オン／オフが制御される。
【００１９】
オーディオ回路３（第１回路）は、アナログＬ  ＯＵＴ、アナログＲ  ＯＵＴ（アナログ音声出力）に音声を出力する。オーディオ回路３は、電源回路３１、ＤＡＣ３２、３３、オペアンプ３４、３５を有する。電源回路３１には、オーディオトランス４からの電源電圧が供給される。電源回路３１は、オーディオトランス４からの電源電圧を、ＤＡＣ３２、３３、オペアンプ３４、３５に供給する。ＤＡＣ３２、３３（Ｄ／Ａコンバーター）は、動作用のクロック３６を有する。ＤＡＣ３２は、Ｌチャンネルのデジタル音声を、アナログ音声にＤ／Ａ変換する。ＤＡＣ３２がＤ／Ａ変換したＬチャンネルのアナログ音声は、オペアンプ３４に出力される。ＤＡＣ３３は、Ｒチャンネルのデジタル音声を、アナログ音声にＤ／Ａ変換する。ＤＡＣ３３がＤ／Ａ変換したＲチャンネルのアナログ音声は、オペアンプ３５に出力される。
【００２０】
オペアンプ３４（増幅器）は、ＤＡＣ３２がＤ／Ａ変換したＬチャンネルのアナログ音声を増幅する。オペアンプ３４が増幅したＬチャンネルのアナログ音声は、アナログＬ  ＯＵＴに出力される。オペアンプ３５（増幅器）は、ＤＡＣ３３がＤ／Ａ変換したＲチャンネルのアナログ音声を増幅する。オペアンプ３５が増幅したＲチャンネルのアナログ音声は、アナログＲ  ＯＵＴに出力される。
【００２１】
操作部６は、オーディオ回路３を使用しないことを受け付けるためのスイッチである。言い換えれば、操作部６は、アナログ音声出力（オーディオ回路３）のオン／オフを受け付けるためのスイッチである。ユーザーは、操作部６により、アナログ音声出力のオン／オフを切り替えることができる。なお、操作部６は、タクトスイッチでも、物理スイッチでもよい。マイクロコンピューター２１は、操作部６からの信号を受信し、リレー５をオン／オフする信号をリレー５に出力する。マイクロコンピューター２１は、操作部６から、アナログ音声出力をオンする信号を受信した場合、リレー５をオンする。マイクロコンピューター２１は、操作部６から、アナログ音声出力をオフする信号を受信した場合、リレー５をオフする。言い換えれば、マイクロコンピューター２１は、操作部６により、オーディオ回路３を使用しないことを受け付けた場合、リレー５をオフし、それ以外の場合、リレー５をオンする。
【００２２】
上述のように、マイクロコンピューター２１は、アナログ音声出力オンの信号を受信すると、図２に示すように、オーディオトランス４のリレー５をオンする。これにより、オーディオ回路３の電源が入り、アナログ音声が出力される。また、マイクロコンピューター２１は、アナログ音声出力オフの信号を受信すると、図３に示すように、オーディオトランス４のリレー５をオフする。これにより、オーディオ回路３の電源が入らないため、オーディオ回路は、動作せず、アナログ音声も出力されない。
【００２３】
また、マイクロコンピューター２１は、図４に示すように、デジタル回路２を使用しない場合、ＳｏＣ２２からの各出力（ＣＯＡＸＩＡＬ  ＯＵＴ、ＯＰＴＩＣＡＬ  ＯＵＴ、ＨＤＭＩ（登録商標）  ＯＵＴ）への信号を止める。すなわち、マイクロコンピューター２１は、ＳｏＣ２２（デジタル回路２）から音声を出力させない。これにより、アナログ回路３から出力される音声の音質が向上する。
【００２４】
以上説明したように、本実施形態では、マイクロコンピューター２１は、オーディオ回路３を使用しない場合、オーディオ回路３の電源をオフする。従って、オーディオ回路３が動作していないため、オーディオ回路３に電流は流れず、音質に影響を与えるノイズも発生しない。これにより、オーディオ回路３による、デジタル音声出力から出力される音声の音質への悪影響が抑制されるため、デジタル音声出力から出力される音声の音質を向上させることができる。すなわち、デジタル音声出力から、高音質の音声が出力される。
【００２５】
以上、本発明の実施形態について説明したが、本発明を適用可能な形態は、上述の実施形態には限られるものではなく、本発明の趣旨を逸脱しない範囲で適宜変更を加えることが可能である。
【産業上の利用可能性】
【００２６】
本発明は、アナログ音声出力とデジタル音声出力とを有する電子機器、及び、電子機器の制御方法に好適に採用され得る。
【符号の説明】
【００２７】
１  デジタルディスクプレーヤー（電子機器）
２  デジタル回路（第２回路）
２１  マイクロコンピューター（制御部）
３  オーディオ回路（第１回路）
３１  電源回路
３２、３３  ＤＡＣ（Ｄ／Ａコンバーター）
３４、３５  オペアンプ（増幅器）
３６  動作用クロック
４  オーディオトランス
５  リレー（スイッチ）
６  操作部
【図１】
2020013624.tif 000003
【図２】
2020013624.tif 000004
【図３】
2020013624.tif 000005
【図４】
2020013624.tif 000006
【図５】
2020013624.tif 000007